(57)【要約】  本発明は、航空機タイヤの行う着陸の回数をカウントする方法に関し、この方法は、タイヤの内部に入っている空気の物理量を不連続方式で測定するステップと、物理量に関連した少なくとも１つの指標を求めるステップと、指標をタイヤと関連した所定のしきい値と比較するステップと、指標が所定のしきい値よりも大きい場合、着陸回数を増分するステップとを含む。
2014512304.tif 000002
【特許請求の範囲】
【請求項１】
航空機タイヤ（１０）の着陸回数（Ｎ）をカウントする方法において、前記方法は、
‐前記タイヤ（１０）の内部に入っている空気の物理量（Ｔ）を不連続モードで測定するステップと、
‐前記物理量（Ｔ）に関連した少なくとも１つの指標（Ｉ）を求めるステップと、
‐前記指標（Ｉ）を前記タイヤ（１０）と関連した所定のしきい値（Ｓ）と比較するステップと、
‐前記指標（Ｉ）が前記所定のしきい値（Ｓ）よりも大きい場合、着陸回数（Ｎ）を増分するステップとを含む、方法。
【請求項２】
タイヤ（１０）運動の開始が検出されると、前記物理量（Ｔ）の測定シーケンス（Ｓ１〜Ｓ３）をトリガする、請求項１記載の方法。
【請求項３】
前記指標（Ｉ）は、所定の時間間隔（Δｔ）にわたる前記物理量（Ｔ）の時間変化率である、請求項１又は２記載の方法。
【請求項４】
前記物理量（Ｔ）を一定の時間間隔（Δｔ）で測定する、請求項１〜３のうちいずれか一に記載の方法。
【請求項５】
前記物理量（Ｔ）は、温度と圧力の中から選択される、請求項１〜４のうちいずれか一に記載の方法。
【請求項６】
航空機タイヤ（１０）の着陸回数（Ｎ）をカウントする装置（２２）において、前記装置は、
‐前記タイヤ（１０）の内部に入っている空気の物理量（Ｔ）を不連続に測定する手段（３４）と、
‐前記物理量（Ｔ）に関連した指標（Ｉ）を求める手段（５２）と、
‐前記指標（Ｉ）を前記タイヤ（１０）と関連した所定のしきい値（Ｓ）と比較する手段（５６）と、
‐前記着陸回数（Ｎ）を増分する手段（５８）とを有する、装置（２２）。
【請求項７】
前記タイヤの運動の開始を検出する手段（３２）及び前記検出手段（３２）によって作動可能な前記測定手段（３４）を作動させる手段（５１）を更に有する、請求項６記載の装置（２２）。
【請求項８】
タイヤ（１０）であって、前記タイヤは、請求項６又は７記載の装置（２２）を有する、タイヤ。
【請求項９】
航空機用ホイールであって、前記ホイールは、請求項６又は７記載の装置（２２）を有する、航空機用ホイール。
【請求項１０】
航空機であって、前記航空機は、請求項８記載のタイヤ（１０）又は請求項９記載のホイールを有する、航空機。
【請求項１１】
弁であって、前記弁は、請求項６又は７記載の装置（２２）を有する、弁。
【発明の詳細な説明】
【技術分野】
【０００１】
本発明は、航空機の着陸装置用タイヤの分野に関する。
【背景技術】
【０００２】
航空機のタイヤの摩耗度は、タイヤの行う着陸及び離陸回数で決まる。着陸回数は、離陸回数に等しい。
【０００３】
一方、製造業者は、タイヤの摩耗をモニタしてタイヤの摩耗の関数としてタイヤの性能の変化を把握するためにこの着陸又は離陸回数を知ることが望ましい。他方、航空機に関与する（保守業務、点検業務等）種々の作用主体（アクター）は、摩耗したタイヤの交換又は更生（リトレッド）を予測することができるということが望ましい。
【０００４】
仏国特許第２，９３９，８９７号明細書から、航空機タイヤの着陸回数をカウントする方法及び装置が知られている。この装置は、タイヤの内面に取り付けられる。この装置は、センサ及び装置に電力供給する手段、例えばバッテリを有する。センサは、地球の磁界又は例えば磁石により生じる局所磁界内でのタイヤの回転によって生じる磁束の時間変化に敏感なコイルを有する。すると、コイルは、周波数がタイヤの回転回数に等しい周期的信号を発生させる。この方法の実施中、タイヤの回転回数を測定する。回転回数が所定のしきい値を超えると、換言すると、着陸又は離陸段階中、着陸回数を増分する。
【先行技術文献】
【特許文献】
【０００５】
【特許文献１】仏国特許第２，９３９，８９７号明細書
【発明の概要】
【発明が解決しようとする課題】
【０００６】
しかしながら、ホイールの回転回数を測定するためにセンサはコイルにより生じる信号を連続的に測定するが、これはエネルギーを極めて要する。かくして、装置は、その高いエネルギー消費量に鑑みて、容量５５０ｍＡ．ｈ、重量８ｇのバッテリを用いると、この装置の寿命は、２年に制限される。したがって、更生の度ごとに電力供給手段を交換することが必要である。更生の度に交換することを回避するため、電力供給手段の容量を増大させる場合があり、これにより、必然的に重量が増大する。しかしながら、重量の増大の結果として、高速でのタイヤの回転中における質量不均衡状態が高すぎるようになる。
【０００７】
本発明の目的は、エネルギーをそれほど必要としないカウント装置及び方法を提供することにある。
【課題を解決するための手段】
【０００８】
この目的のため、本発明の一要旨は、航空機タイヤの着陸回数をカウントする方法において、この方法は、次のステップ、即ち、
‐タイヤの内部に入っている空気の物理量を不連続モードで測定するステップ、
‐物理量に関連した少なくとも１つの指標を求めるステップ、
‐指標をタイヤと関連した所定のしきい値と比較するステップ、及び
‐指標が所定のしきい値よりも大きい場合、着陸回数を増分するステップを含むことを特徴とする方法にある。
【０００９】
本発明の方法を実施するカウント装置の電力消費量は、比較的低い。確かに、回転回数を求めるために物理量の各測定を１回だけ実施すれば良く、先行技術の方法では必要であるような連続モードで実施するようなことはない。かくして、本発明の方法により、電力が各測定相互間ではなく、測定時点でのみ消費される。
【００１０】
有利には、タイヤ運動の開始が検出されると、物理量の測定シーケンスをトリガする。かくして、物理量の測定は、タイヤが運動している時間間隔にのみ制限される。したがって、エネルギー消費量が減少する。測定シーケンスは、タイヤの運動開始後に、タイヤの運動がもはや検出されない時点で止められる。
【００１１】
好ましくは、指標は、所定の時間間隔にわたる物理量の時間変化率である。かくして、必ずしも物理量の絶対値を測定することなく適切な指標が用いられる。というのは、この方法を実施する装置をリセットすると、較正に必要な場合のあるステップの実施が回避されるからである。最後に、物理量が天候条件に敏感であるかそうでないかは、重要ではない。
【００１２】
この方法のオプションとしての特徴によれば、物理量を一定の時間間隔で測定する。十分に短い時間間隔を選択することによって、しきい値を超えたかどうかが比較的迅速に検出される。十分に長い時間間隔を選択することにより、行われる測定回数が減少するのでエネルギー消費量が減少する。
【００１３】
好ましくは、物理量は、温度と圧力の中から選択される。かかる物理量は、タイヤの磁気環境とは実質的に無関係である。したがって、この方法により、物理量の確実な測定を、磁界の測定が標識の計算に用いられる方法とは対照的に、磁気環境とは無関係に行うことができる。
【００１４】
本発明のもう一つの要旨は、航空機タイヤの着陸回数をカウントする装置において、この装置は、
‐タイヤの内部に入っている空気の物理量を不連続に測定する手段と、
‐物理量に関連した指標を求める手段と、
‐指標をタイヤと関連した所定のしきい値と比較する手段と、
‐着陸回数を増分する手段とを有することを特徴とする装置にある。
【００１５】
本発明の装置のエネルギー消費量は、比較的少ない。電力供給手段の交換をできるだけ回避することが望ましい場合、容量５５０ｍＡ．ｈ、重量８ｇのバッテリにより、１２年に達する場合のある装置の寿命を得ることができる。かくして、同じ電力供給手段をタイヤの構造体の受ける種々の回数の更生、一般に５回の更生の間、構造体の寿命全体にわたってそのまま使うことができる。装置の重量を減少させると同時に寿命を２年に制限したままにすることが望ましい場合、この装置は、バッテリの容量を１１０ｍＡ．ｈに減少させることができ、それ故に装置の全質量を約２０％だけ減少させることができる。
【００１６】
好ましくは、カウント装置は、タイヤの運動の開始を検出する手段及び検出手段によって作動可能な測定手段を作動させる手段を更に有する。本発明の他の要旨は、弁、タイヤ、航空機用ホイール及び航空機であり、これら要旨の各々は、これが上述した装置を有することを特徴とする。
【００１７】
本発明の内容は、非限定的な実施例として与えられているに過ぎず、そして添付の図面を参照して提供される以下の説明を読むと一層よく理解されよう。
【図面の簡単な説明】
【００１８】
【図１】本発明のタイヤの軸方向断面図である。
【図２】図１のタイヤのための本発明の装置の基本的機能図である。
【図３】離陸及び着陸を含むサイクル中におけるタイヤの回転回数の時間の関数としての変化を表す曲線及びこの同じサイクル中におけるタイヤの内部に入っている空気の温度の時間の関数としての変化を表す曲線を示す図である。
【図４】図２の装置による温度測定のためのトリガ信号の時間の関数としての変化を示す図である。
【図５】図２の装置による温度測定のシーケンスを示す図である。
【図６】図５で測定された温度の変化に関する指標の時間の関数としての変化を表す曲線を示す図である。
【発明を実施するための形態】
【００１９】
図１は、全体を符号１０で示された本発明のタイヤを示している。タイヤ１０は、航空機用ホイールに取り付けられるよう設計されている。図１は、タイヤの通常の半径方向（Ｚ）軸方向（Ｙ）及び円周方向（Ｘ）に対応した相互に直交した軸線Ｘ，Ｙ，Ｚを示している。
【００２０】
従来通り、タイヤ１０は、クラウンＳを有し、このクラウンＳの延長部として２つの側部（サイドウォール）Ｆ及び２つの内側ビードＢが設けられている。２つのスチールワイヤコア１２が内側ビードＢ内に埋め込まれている。２つのスチールワイヤコア１２は、タイヤの中央半径方向平面Ｍに関して対称に配置されている。各スチールワイヤコア１２は、基準軸線を中心とした回転体である。この基準軸線は、方向Ｙに実質的に平行であり、この基準軸線は、タイヤの回転軸線と実質的に一致している。クラウンＳは、彫刻又はパターン付けされた特徴部１６を備えるトレッド１４を有する。タイヤ１０は、クラウンＳを通って進むタイヤ１０の２つの環状スチールワイヤコア１２相互間に延びる漏れ止めゴムの内側層１８を更に有する。内側層１８は、タイヤの内部に入っている空気と接触状態にある外面２０を有する。タイヤ１０は、タイヤ１０の着陸回数Ｎをカウントする装置２２を有する。この装置２２は、例えば接着によって外面２０に取り付けられている。
【００２１】
一変形実施形態によれば、装置２２は、ホイール弁に取り付けられても良い。
【００２２】
図２は、装置２２の基本的機能図である。装置２２は、電力を装置１０に供給する手段２６及びデータを格納する手段２８と一緒にマイクロコントローラ２４を有している。装置２２は、手段２８内に格納されたデータを外部に伝える手段３０を有する。装置２２は、タイヤ１０の回転の開始を検出する手段３２及びタイヤ１０の内部に入っている空気の物理量の不連続測定を行う手段３４を更に有する。
【００２３】
電力供給手段２６は、容量が５５０ｍＡ．ｈ、重量８ｇのバッテリ３６を含む。データ格納手段２８は、Ｅ２ＰＲＯＭ型のメモリ３８を含む。通信手段３０は、１２５ｋＨｚで動作する送信機／受信機４０と、リーダからの読み取り信号に応答してメモリ３８内に格納されているデータを外部に伝送することができるアンテナ４２とを含む。
【００２４】
検出手段３２は、タイヤ１０の回転のセンサ４４を含み、かかる検出手段により、タイヤ１０の回転の開始を検出することができる。かかるセンサ４４は、特に、ＷＯ２００４／１１０７９３という番号で公開された国際公開パンフレットに記載されている。
【００２５】
測定手段３４は、タイヤの内部に入っている空気の温度Ｔの測定を可能にする。手段３４は、例えば、熱電対４６、白金プローブを含み、又は、変形例として、一体形温度センサを含む。
【００２６】
マイクロコントローラ２４は、検出手段３２からの信号Ｄにより作動可能な測定手段３４を作動させる手段５１と一緒にクロック５０を含む回数カウント手段４８を有する。マイクロコントローラ２４は、物理量、この場合、タイヤ１０の内部に入っている空気の温度Ｔに関連した指標Ｉを求める手段５２を更に含み、この場合、これら手段は、コンピュータ５４である。さらに、マイクロコントローラ２４は、指標Ｉをタイヤ１０と関連した所定のしきい値Ｓと比較する手段５６を有する。最後に、マイクロコントローラ２４は、データ格納手段２８に接続された着陸回数Ｎを増分する手段５８を有する。
【００２７】
手段３４は、タイヤ１０の内部に入っている空気の温度Ｔの各瞬時測定を一定時間間隔で行うようにするために熱電対４６をクロック５０と同期させる手段６０を含む。
【００２８】
次に、図３〜図６を参照して本発明の方法の主要なステップについて説明する。
【００２９】
図３は、離陸及び着陸を含むサイクル中におけるタイヤの回転回数の時間の関数としての変化を表す曲線（連続した曲線）及びこの同じサイクル中におけるタイヤの内部に入っている空気の温度の時間の関数としての変化を表す曲線（破線の曲線）を示す図である。
【００３０】
時刻ｔ0とｔ1との間の時間間隔は、駐機段階に対応している。航空機は、駐機場所に存在して動かない。したがって、回数又は周期数ｆは、ゼロであり、温度Ｔは、一定であり且つ周囲空気の温度に等しい。
【００３１】
時刻ｔ1とｔ4との間の時間間隔は、転動段階に対応している。航空機は、時刻ｔ1とｔ2との間で、その駐機場所を出て加速し、ついには、この航空機は回転回数ｆ２に一致した一定速度に達する。滑走路上におけるタイヤの転動が滑走路を昇温させるので、温度Ｔは、次第に高くなる。航空機は、時刻ｔ2とｔ3との間で、誘導路上を一定速度で動き、着陸ストリップに達する。温度Ｔは、引き続き漸次上昇する。航空機は、時刻ｔ3とｔ4との間で、次第に減速し、その目的は、航空機自体を離陸のための滑走路の端に定位させることにある。時刻ｔ4では、航空機は、動かず、いつでも離陸可能な状態にある。温度Ｔは、航空機の停止後、減少する。
【００３２】
航空機は、時刻ｔ4とｔ5との間で滑走路の端のところで動かないままであり、時刻ｔ5で起こる離陸命令を待つ。温度Ｔは、時刻ｔ5まで引き続き減少する。
【００３３】
時刻ｔ5とｔ6との間の時間間隔は、離陸段階に対応している。航空機は、回転回数ｆ６に対応したその離陸速度に達するために急加速する。温度Ｔも又、迅速に増大する。
【００３４】
時刻ｔ6とｔ8との間の時間間隔は、飛行段階に対応している。時刻ｔ6とｔ7との間において、タイヤの回転は、迅速に減速して時刻ｔ7で停止状態に達する。タイヤの内部に入っている空気の熱慣性（余熱）により、温度は、ｔ6とｔ7との間の時間間隔の部分にわたって増大し続ける。時刻ｔ7とｔ8との間で、着陸装置は引っ込められており、ゼロの回数ｆに対応したタイヤは、不動状態にある。温度Ｔは、タイヤが動かないがタイヤの周りの空気の温度が非常に低いので、減少する。
【００３５】
時刻ｔ8とｔ9との間の時間間隔は、着陸段階に対応している。航空機は、時刻ｔ8で着陸する。タイヤは、急加速して回転回数ｆ９に対応したｔ9のところで航空機の着陸速度に達する。温度Ｔも又急上昇する。
【００３６】
時刻ｔ9とｔ10との間の時間間隔は、転動段階に対応している。航空機は、次第に減速し、ついには、これがその駐機場所に達し、ここで停止する。この場合、回数ｆは、時刻ｔ10においてゼロである。タイヤの内部に入っている空気の熱慣性により、温度は、時刻ｔ9とｔ10との間の時間間隔の一部にわたって増大し続け、その後タイヤの回転数の減少に続いて減少する。
【００３７】
図４は、手段３２によって放出されたタイヤ１０の運動の開始を検出するための信号Ｄを示している。タイヤ１０が不動状態にあり、この不動状態においてタイヤの回転数がゼロである場合、信号Ｄは、値０を取る。タイヤ１０が動いているとき、その回転数は、ゼロではなく、信号Ｄは、値１を取る。かくして、信号Ｄは、ｔ0〜ｔ1、ｔ4〜ｔ5、ｔ7〜ｔ8及びｔ10〜ｔ1の時間間隔の間、値０を取り、ｔ1〜ｔ4、ｔ5〜ｔ7及びｔ8〜ｔ10の時間間隔にわたり値１を取る。
【００３８】
図５は、本発明のタイヤ１０の内部に入っている空気の温度Ｔの時間測定シーケンスＳ１，Ｓ２，Ｓ３を示している。各測定シーケンスＳ１，Ｓ２，Ｓ３は、タイヤ１０の運動の開始が検出されると、換言すると、運動の開始を検出する信号が値１を取ると、トリガされる。シーケンスＳ１は、時刻ｔ1で始まり、時刻ｔ4で中断される。シーケンスＳ２は、時刻ｔ5で始まり、時刻ｔ7で中断される。シーケンスＳ３は、時刻ｔ8で始まり、時刻ｔ10で中断される。各シーケンスＳ１，Ｓ２，Ｓ３において、タイヤの内部に入っている空気の温度Ｔは、不連続モードで測定される。この場合、温度Ｔは、一定の時間間隔、この場合、１０秒毎に測定される。
【００３９】
図６は、時間の関数として温度Ｔに関連した指標Ｉの変化の曲線を示している。指標Ｉは、所定の時間間隔Δｔにわたる温度Ｔの時間変化率である。この場合、温度Ｔの２つの連続した測定を隔てる時間間隔であり、即ち、１０秒である。かくして、以下の計算が１０秒毎に実施され、即ち、Ｉ（ｔ＋Δｔ）＝（Ｔ（ｔ＋Δｔ）−Ｔ（ｔ））／Δｔである。
【００４０】
各シーケンスＳ１，Ｓ２，Ｓ３の実施中、温度に関連した指標Ｉは、各所定の時間間隔Δｔにわたって求められる。計算された指標Ｉの各々をタイヤと関連した所定のしきい値Ｓと比較する。
【００４１】
指標Ｉが所定のしきい値Ｓよりも大きい場合、着陸回数Ｎを１だけ増分する。指標Ｉが所定のしきい値Ｓよりも小さい場合、着陸回数Ｎは、変わらない。指標Ｉが所定のしきい値Ｓを下回らない限り、着陸回数Ｎを増分することはできない。かくして、図６に示されているように、着陸及び離陸を含むサイクル中、指標Ｉは、時刻ｔ5の直後の航空機の離陸に対応した測定のシーケンスＳ２の実施中、最初に所定のしきい値Ｓを超え、そして、時刻ｔ5の直後のこの同じシーケンスＳ２の実施中、所定のしきい値Ｓを下回る。次に、指標Ｉは、時刻ｔ8の直後の航空機の着陸に対応した測定のシーケンスＳ３の実施中、二度目に所定のしきい値Ｓを超え、そして、時刻ｔ9の直後のこの同じシーケンスＳ３の実施中、所定のしきい値Ｓを下回る。かくして、着陸及び離陸を含むサイクル中、回数Ｎを２回増分する。
【００４２】
本発明は、上述の実施形態には限定されない。
【００４３】
かくして、別の実施形態では、タイヤの内部に入っている空気の測定される物理量は、圧力である。
【００４４】
利点のうちで、本発明の装置を、例えばＷＯ２００４／１１０７９３号という番号で公開された国際公開パンフレットに記載されている装置を有するタイヤに、この装置を改造することによって取り付けることができる。本発明の装置は、物理量の測定をトリガするこの先行技術の装置のタイヤの運動の開始を検出するための機能を利用しているにすぎない。本発明の装置は、タイヤの回転数を求める磁束の時間変化率の連続測定のための機能を利用しているわけではない。というのは、後者は、エネルギーをあまりにも必要とするからである。かくして、既存の装置のタイヤの運動の開始を検出する機能を利用するのが良く、その目的は、本発明の装置を既に使用中のタイヤに適合させることにある。かくして、装置の磁気環境が自然界にはない出所からの磁気源によって乱された場合であっても、これら磁気源は、本発明に従って改造された先行技術の装置のタイヤの運動の開始の検出を妨害するほど強力ではない。この検出により、物理量の測定をトリガすることができ、この測定は、どのような磁気的干渉の影響も受けない。
【図１】
2014512304.tif 000003
【図２】
2014512304.tif 000004
【図３−６】
2014512304.tif 000005
【国際調査報告】
2014512304.tif 000006
2014512304.tif 000007
2014512304.tif 000008
2014512304.tif 000009
2014512304.tif 000010
2014512304.tif 000011